(57)【要約】【課題】幼児や小学校低学年の子供でもハンドメイド感を楽しめる雑貨グッズの提供。【解決手段】複数の差込み孔１３を備えたプレート部３と、表示片２１を備える。表示片２１は文字や図形が配された表示部２３と表示部２３に突設された係止突起３３とで構成されている。プレート部３の差込み孔１３に係止突起３３が差込まれると両者が一体化され、表示部２３がプレート部３の正面を飾る。プレート部３と表示片２１は軟質プラスチックで構成され、係止突起３３は硬質プラスチックで構成されており、容易に差込める。【選択図】  図１
0003212635.tif 000002
【実用新案登録請求の範囲】
【請求項１】
複数の差込み孔を備えたプレート部と、文字や図形が配された表示部と前記表示部に突設された係止突起とで構成された表示片とを備え、前記プレート部の差込み孔に前記表示片の係止突起が差込まれると両者が一体化され、前記表示片の表示部が前記プレート部の正面を飾ることを特徴とする雑貨グッズ。
【請求項２】
請求項１に記載した雑貨グッズにおいて、
プレート部と表示部は軟質プラスチックで構成され、係止突起は差込み方向先端側に外方に拡がったフランジを備え、且つ前記フランジ共々硬質プラスチックで構成されており、前記プレート部の差込み孔に前記係止突起が差込まれると前記先端側フランジが前記プレート部の背面に当接してストッパ効果を果たすことを特徴とする雑貨グッズ。
【請求項３】
請求項２に記載した雑貨グッズにおいて、
係止突起は差込み方向基端側にも外方に拡がったフランジを備え、前記基端側フランジが表示部の背面に当接してストッパ効果を果たすことを特徴とする雑貨グッズ。
【請求項４】
請求項１から３のいずれかに記載した雑貨グッズにおいて、
プレート部はベースプレートと前記ベースプレートに接着された装飾プレートで構成されており、差込み孔の孔径は前記装飾プレート側が前記ベースプレート側より大きくなっていることを特徴とする雑貨グッズ。
【考案の詳細な説明】
【技術分野】
【０００１】
本考案は、幼児や小学校低学年の子供でも手軽にハンドメイド感を楽しめる雑貨グッズに関するものでる。
【背景技術】
【０００２】
雑貨グッズは流行や趣味性を採り入れ易いことから、幼児から大人に至るまで昔から魅了されている。
最近では、雑貨の分野でも、既成の完成品を購入するだけでなく、自分でオリジナルなものを製作し携帯して楽しみたいと考える人が増えてきており、ハンドメイド用のパーツが入手できるようになっている。
【先行技術文献】
【特許文献】
【０００３】
【特許文献１】特開２０１７−２９２０６号公報
【考案の概要】
【考案が解決しようとする課題】
【０００４】
しかしながら、幼児や小学校低学年の子供でも手軽にハンドメイド感を楽しめるものとなると殆ど無い。
例えば、特許文献１には、人型を為す平面状の構造物に、洋服等の着用物をその裏面に備えられた吸着材を利用して取付けたものが紹介されているが、吸着作用を利用して取付けるとなると、剥がれて脱落し易い。
【０００５】
それ故、本考案は、簡単に製作できてハンドメイド感を気軽に楽しめ、且つ、インテリアや携帯用にもできる丈夫な完成品に作り上げることができ、幼児や小学校低学年の子供も対象に含まれる、新規且つ有用な雑貨グッズを提供することを、その目的とする。
更に本考案は、特に、平板状のプレート部を基体とし、ドアに掛けるドアプレートやカバンに付ける装飾ホルダーとして利用できるタイプに着目し、そのタイプの雑貨グッズを提供することを、その目的とする。
【課題を解決するための手段】
【０００６】
本考案は上記課題を解決するためになされたものであり、請求項１の考案は、複数の差込み孔を備えたプレート部と、文字や図形が配された表示部と前記表示部に突設された係止突起とで構成された表示片とを備え、前記プレート部の差込み孔に前記表示片の係止突起が差込まれると両者が一体化され、前記表示片の表示部が前記プレート部の正面を飾ることを特徴とする雑貨グッズである。
【０００７】
請求項２の考案は、請求項１に記載した雑貨グッズにおいて、プレート部と表示部は軟質プラスチックで構成され、係止突起は差込み方向先端側に外方に拡がったフランジを備え、且つ前記フランジ共々硬質プラスチックで構成されており、前記プレート部の差込み孔に前記係止突起が差込まれると前記先端側フランジが前記プレート部の背面に当接してストッパ効果を果たすことを特徴とする雑貨グッズである。
【０００８】
請求項３の考案は、請求項２に記載した雑貨グッズにおいて、係止突起は差込み方向基端側にも外方に拡がったフランジを備え、前記基端側フランジが表示部の背面に当接してストッパ効果を果たすことを特徴とする雑貨グッズである。
【０００９】
請求項４の考案は、請求項１から３のいずれかに記載した雑貨グッズにおいて、プレート部はベースプレートと前記ベースプレートに接着された装飾プレートで構成されており、差込み孔の孔径は前記装飾プレート側が前記ベースプレート側より大きくなっていることを特徴とする雑貨グッズである。
【考案の効果】
【００１０】
本考案の雑貨グッズによれば、簡単に製作できてハンドメイド感を気軽に楽しめ、且つ、インテリアや携帯用にもできる丈夫な完成品に作り上げることができ、幼児や小学校低学年の子供も対象に含まれる。
【図面の簡単な説明】
【００１１】
【図１】本考案の実施の形態に係るドアプレートを構成する各パートの説明図である。
【図２】図１のプレート部に対する表示片の取付け状態を示す斜視図である。
【図３】図１のプレート部に対する表示片の取付け状態を示す断面図である。
【図４】図１のドアプレートの完成状態の正面図である。
【考案を実施するための形態】
【００１２】
本考案の実施の形態では、雑貨グッズの一例としてドアプレート１を図面にしたがって説明する。
図１に示すように、このドアプレート１は、プレート部３を備えている。このプレート部３は、シリコン樹脂、塩化ビニル樹脂等の軟質プラスチックで構成されている。プレート部３は横長矩形の平板状に成形されており、上側の横縁は上方に向かって膨らむように僅かに円弧状に湾曲し、下側の横縁も下方に向かって膨らむように僅かに円弧状に湾曲している。また、角隅部は丸みが付けられている。
【００１３】
プレート部３はベースプレート５に装飾プレート９が接着されて一体化されており、吊下げたときに、ベースプレート５の背面７がドア側を向き、装飾プレート９の正面１１が視認される装飾面となる。装飾プレート９はベースプレート５よりもサイズが僅かに小さくなっており、正面から見ると縁部はベースプレート５が見えている。ベースプレート５は目立たぬよう茶色に着色され、一方、装飾面たる正面１１を有する装飾プレート９はピンク色に着色されている。
【００１４】
プレート部３には６個の差込み孔１３、１３、……が形成されている。
差込み孔１３は、プレート部３を板厚方向に貫通しており、図３に示すように、背面７と正面１１で開口してそれぞれ開口部１５、１７が形成されている。差込み孔１３は断面円形であり、その孔径はベースプレート５側よりも装飾プレート９側が大きくなってその境界が段差になっている。従って、開口部１５の茶色の口縁は、正面側に露出しており、開口部１７のピンク色の口縁との間にコントラストが現れることから、開口部１７が視認し易くなっている。
差込み孔１３、１３、……は上下段に３個ずつ上下左右に同じ間隔を空けて隣り合うよう配置されている。
【００１５】
ベースプレート５の上縁側中心から上方に向かって延出した部分があり、その延出部分は略３／４円弧状になっている。この延出部分に挿通孔１９が形成されている。この挿通孔１９は断面円形で、ペースプレート５を板厚方向に貫通して背面７と正面１１で開口している。
【００１６】
プレート部３は上記のように構成されており、そこに複数の表示片２１、２１、……を付替え自在に取付けられるようになっている。
表示片２１の本体をなす表示部２３は、プレート部３と同様に、軟質プラスチックで構成されている。また、表示部２３も支持部２５に装飾部２９が接着されて一体化されており、この支持部２５、装飾部２９は、プレート部３のベースプレート５、装飾プレート９と同様な構成で設計されている。また、支持部２５とベースプレート５は統一性を持たせるために同色になっている。取付けたときには、支持部２５の背面２７がプレート部３側を向き、装飾部２９の正面３１が視認される装飾面となる。
【００１７】
装飾部２９は、打抜きにより形成された輪郭形状を利用して「あ（文字）」、「い（文字）」、「こ（文字）」、「ハート（図形）」、「星（図形）」、「Ｖサイン（図形）」が表現され、それぞれ、装飾プレート９とは別の色で着色されている。支持部２５は装飾部２９の外側の輪郭形状に相似した一回り大きな輪郭形状になっている。
【００１８】
表示部２３には、係止突起３３が固定されている。この係止突起３３は硬質プラスチックで構成されている。
図２に示すように、係止突起３３はピン軸状をしており、その軸方向中間には大きなフランジ３５が外方に延設されている。このフランジ３５は平板状をしており、その板面は軸方向と直交している。また、軸方向一端側にも小さいフランジ３７が外方に延設されている。このフランジ３７も軸方向と直交方向に張り出しているが、フランジ３５よりも遥かに小さくなっている。
【００１９】
表示部２３には支持部２５の背面２７側にのみ開口した固定用孔（図示省略）が形成されており、この固定用孔に係止突起３３が他端側、すなわちフランジ３７の無い側から挿入され、隙間が接着剤（図示省略）で充填されて固定されている。係止突起３３はフランジ３５が背面２７に当接してストッパ効果を働かせるのでそれ以上の挿進は阻止される。従って、係止突起３３は一定の長さだけ表示部２３の背面２７から垂直に突設した状態になっている。係止突起３３は表示部２３の略重心部分で固定されている。
【００２０】
表示片２１の係止突起３３を、プレート部３の正面１１の開口部１７から差込み孔１３に差込んで取付けるようになっている。係止突起３３は硬質でプレート部３は軟質で弾性的に拡開し易くなっている上に、開口部１７側は広口になっているので係止突起３３はプレート部３の差込み孔１３に容易に差込める。
図３に示すように、係止突起３３を差込み孔１３に差込むと、貫通して差込み方向基端側のフランジ３５が正面１１に当接すると共に、背面７の開口部１５から差込み方向先端側のフランジ３７が突出する。このフランジ３７が開口部１５の口縁に当接してストッパ効果を働かせるので、表示片２１はプレート部３から通常の使用状態では脱落することはない。
【００２１】
その一方で、片方の手でプレート部３を押え、もう片方の手で表示片２１を引張れば表示片２１を容易に引抜くこともできる。従って、間違った表示片２１を取付けた場合には容易にやり直しをすることができる。また、ひらがなで表示していたのをアルファベットで表示するなど、デザインを変えたい場合にも容易に対応できる。
係止突起３３以外は軟質プラスチックで構成されているので、折り曲げても破断せず、安全性も高い。
【００２２】
完成品では、図４に示すように、プレート部３の正面１１には、差込み孔１３、１３、……を利用して「あ（文字）」、「い（文字）」、「こ（文字）」、「ハート（図形）」、「星（図形）」、「Ｖサイン（図形）」が表現された表示片２１が取付けられて、装飾された状態になっている。
プレート部３の挿通孔１９にボールチェーンなどの紐３９を通しておけば、ドアに固定されたフック４１に吊下げて、ドアプレートとして利用できる。
【００２３】
以上、本考案の実施の形態について詳述してきたが、具体的構成は、この実施の形態に限られるものではなく、本考案の要旨を逸脱しない範囲における設計の変更などがあっても考案に含まれる。
例えば、プレート部３の正面１１を背景面として使用するだけでなく、動物やキャラクターを模したものにして装飾性を高めることも可能である。
また、ドアプレートに限定されず、カバン、ランドセル、ベビーカー等も含まれる。
【符号の説明】
【００２４】
１…ドアプレート    ３…プレート部  ５…ベースプレート    ７…背面
９…装飾プレート  １１…正面      １３…差込み孔        １５、１７…開口部
１９…挿通孔        ２１…表示片    ２３…表示部          ２５…支持部
２７…背面          ２９…装飾部    ３１…正面            ３３…係止突起
３５…フランジ      ３７…フランジ  ３９…紐              ４１…（ドアの）フック
【図１】
0003212635.tif 000003
【図２】
0003212635.tif 000004
【図３】
0003212635.tif 000005
【図４】
0003212635.tif 000006